(57)【要約】【課題】高さを抑えることができ、かつ充分な躯体強度を確保できる胴差付き壁パネルおよび胴差付き壁パネルの設置構造を提供する。【解決手段】壁パネル２の下端部に、胴差３が開口部２ａの下端開口を閉じるようにして取り付けられ、胴差３は、その高さが、壁パネル２が設置される床１０の厚さの半分以下に設定された半胴差３となっており、半胴差３の長さは、壁パネル２の左右の幅以下で、かつ、壁パネル２を床１０に設置した際に、壁パネル２の下側にあって、床１０を構成する床パネル１１，１１どうしの接合部Ｓ１を跨ぐような長さに設定されているので、高さを抑えることができ、かつ充分な躯体強度を確保できる。【選択図】図４
2010248816.tif 000002
【特許請求の範囲】
【請求項１】
下端に開口する開口部が形成された壁パネルの下端部に、胴差が前記開口部の下端開口を閉じるようにして取り付けられた胴差付き壁パネルにおいて、
前記胴差は、その高さが、前記壁パネルが設置される床の厚さの半分以下に設定された半胴差となっており、
前記半胴差の長さは、前記壁パネルの左右の幅以下で、かつ、前記壁パネルを床に設置した際に、前記壁パネルの下側にあって、前記床を構成する床パネルどうしの接合部を跨ぐような長さに設定されていることを特徴とする胴差付き壁パネル。 
【請求項２】
請求項１に記載の胴差付き壁パネルにおいて、
前記半胴差の両端部前面に、位置合せ板がその上部を前記半胴差の上面から突出するようにして取り付けられており、
前記位置合せ板の上部裏面に、前記壁パネルの下端部前面が当接されていることを特徴とする胴差付き壁パネル。 
【請求項３】
請求項１または２に記載の胴差付き壁パネルにおいて、
前記半胴差は、左右に長尺な半胴差本体と、この半胴差本体の両端部上面にそれぞれ固定された調整材とを備えており、
前記調整材の上面が前記壁パネルの下端面に接合されており、前記調整材間に位置する半胴差本体が前記壁パネルの下端面より下側に位置していることを特徴とする胴差付き壁パネル。 
【請求項４】
請求項１〜３のいずれか一項に記載の胴差付き壁パネルにおいて、
前記開口部に予め建具枠が組み込まれており、この建具枠の下枠が前記半胴差に取り付けられていることを特徴とする半胴差付き壁パネル。 
【請求項５】
請求項１〜４のいずれか一項に記載の胴差付き壁パネルを、複数の床パネルを接合することによって構成された床に設置してなる胴差付き壁パネルの設置構造において、
前記壁パネルが前記床の端部上面に設置され、前記半胴差が前記床を構成する床パネルの接合部を跨ぐようにして前記床の端面に当接されるとともに、前記床の端面に固定された下半胴差の上端面に当接されていることを特徴とする胴差付き壁パネルの設置構造。
【発明の詳細な説明】
【技術分野】
【０００１】
本発明は、下端に開口する開口部が形成された壁パネルの下端部に、胴差が取り付けられた胴差付き壁パネルおよび胴差付き壁パネルの設置構造に関する。
【背景技術】
【０００２】
下端に開口する開口部が形成された壁パネルの下端部に、半土台が取り付けられた半土台付き壁パネルの一例として特許文献１に記載のものが知られている。
この半土台付き壁パネルは、矩形状の袖パネルとこれらの上端側側端面間に配設された矩形状の小壁パネルとからなるコ字状の連結パネルと、この連結パネルの前面側でかつ両袖パネルと小壁パネルとの内側に取付けられた掃き出し窓用サッシ枠と、前記両袖パネルの下端面に取り付けられた半土台とからなり、前記掃き出し窓用サッシ枠の下枠が袖パネルの下端面より下側に突出し、かつ前記半土台あるいは胴差しの上端面に凹部が形成され、前記下枠が半土台あるいは胴差しの凹部に嵌入されてなることを特徴としている。
このような半土台付き壁パネルは、建物の１階の床の端部上面に壁パネル（連結パネル）が設置され、半土台が基礎の上端面に設置されるとともに、床の端面に当接されるようになっている。
【先行技術文献】
【特許文献】
【０００３】
【特許文献１】特開平７−１８９３６７号公報
【発明の概要】
【発明が解決しようとする課題】
【０００４】
ところで、１階の壁パネル上に２階の床パネルを設置する場合、１階の壁パネル上端面の外側略半分に胴差を設置し、内側略半分に２階の床パネルの端部を前記胴差に当接するようにして設置している。そして、床パネルの端部上面と胴差の上面とに２階の壁パネルを設置する。
したがって、下端に開口する開口部が形成された壁パネルの下端部に胴差を取り付けた胴差付き壁パネルを１階の壁パネルに設置すれば、開口部に予めサッシ枠を取り付けておくことができ、現場でのサッシ枠の取り付け作業を省くことができる。
ところが、２階の床は建物の水平構面を構成するので、１階の床より床厚が厚くなっていることが多く、このため、前記胴差付き壁パネルは、胴差の高さが２階の床厚と等しくなるので、半土台付き壁パネルより高さが高くなってしまう。
胴差付き壁パネルの高さが高くなると、工場での生産ラインで取り扱い難くなるとともに、この胴差付き壁パネルをトラック等で建築現場に搬送するのが困難になるという問題がある。
また、胴差は、水平構面を構成する２階の床の外周部を囲むようにして配置することによって該２階の床を外側から拘束するものであるので、胴差付き壁パネルを２階の床に設置する場合、この床を構成する床パネルの接合部の位置を考慮せずに設置すると、胴差によって床を効果的に拘束できず、充分な躯体強度が確保できないおそれがある。
【０００５】
本発明は上記事情に鑑みてなされたもので、高さを抑えることができ、かつ充分な躯体強度を確保できる胴差付き壁パネルおよび胴差付き壁パネルの設置構造を提供することを課題としている。
【課題を解決するための手段】
【０００６】
上記課題を解決するために、請求項１に記載の発明は、例えば図１〜図５に示すように、下端に開口する開口部２ａが形成された壁パネル２の下端部に、胴差３が前記開口部２ａの下端開口を閉じるようにして取り付けられた胴差付き壁パネル１において、
前記胴差３は、その高さが、前記壁パネル２が設置される床１０の厚さの半分以下に設定された半胴差３となっており、
前記半胴差３の長さは、前記壁パネル２の左右の幅以下で、かつ、前記壁パネル２を床１０に設置した際に、前記壁パネル２の下側にあって、前記床１０を構成する床パネル１１，１１どうしの接合部Ｓ１を跨ぐような長さに設定されていることを特徴とする。
【０００７】
請求項１に記載の発明によれば、壁パネル２の下端部に取り付けられた胴差３が、その高さが、前記壁パネル２が設置される床１０の厚さの半分以下に設定された半胴差３となっているので、胴差付き壁パネル１の高さを、半土台付き壁パネルとほぼ等しい高さに抑えることができる。
また、半胴差３の長さが、前記壁パネル２の左右の幅以下で、かつ、前記壁パネル２を床１０に設置した際に、前記壁パネル２の下側にあって、前記床１０を構成する床パネル１１，１１どうしの接合部Ｓ１を跨ぐような長さに設定されているので、床パネル１１，１１どうしの接合部Ｓ１の位置と、半胴差３とこの半胴差３の端部に当接される他の胴差１７との接合部Ｓ２の位置とが半胴差３の長手方向（床パネル１１の並設方向）において一致しない。したがって、壁パネル２の下側にあって、床１０を構成する床パネル１１・・・を半胴差３によって外側から効果的に拘束でき、よって、充分な躯体強度を確保できる。
【０００８】
請求項２に記載の発明は、請求項１に記載の胴差付き壁パネルにおいて、
前記半胴差３の両端部前面に、位置合せ板７がその上部を半胴差３の上面から突出するようにして取り付けられており、
前記位置合せ板３の上部裏面に、前記壁パネル２の下端部前面が当接されていることを特徴とする。
【０００９】
請求項２に記載の発明によれば、半胴差３の両端部前面に、位置合せ板７がその上部を半胴差３の上面から突出するようにしてに取り付けられており、前記位置合せ板７の上部裏面に、前記壁パネル２の下端部前面が当接されているので、壁パネル２の前面と半胴差３の前面とを面一にして、半胴差３を壁パネル２に容易に接合できる。
【００１０】
請求項３に記載の発明は、請求項１または２に記載の胴差付き壁パネルにおいて、
前記半胴差３は、左右に長尺な半胴差本体３ａと、この半胴差本体３ａの両端部上面にそれぞれ固定された調整材３ｂ，３ｂとを備えており、
前記調整材３ｂ，３ｂの上面が前記壁パネル２の下端面に接合されており、前記調整材３ｂ，３ｂ間に位置する半胴差本体３ａが前記壁パネル２の下端面より下側に位置していることを特徴とする。
【００１１】
請求項３に記載の発明によれば、調整材３ｂ，３ｂの上面が壁パネル２の下端面に接合されており、調整材３ｂ，３ｂ間に位置する半胴差本体３ａが壁パネル２の下端面より下側に位置しているので、開口部２ａに取り付けるべき建具枠１２の下枠を壁パネル２の下端より下方で半胴差本体３ａに取り付けることができる。したがって、建具枠１２の下枠を壁パネル２の下端面が設置される床面より下げることができるので、建具枠１２を掃出し窓の建具枠することができる。
【００１２】
請求項４に記載の発明は、請求項１〜３のいずれか一項に記載の胴差付き壁パネルにおいて、
前記開口部２ａに予め建具枠１２が組み込まれており、この建具枠１２の下枠が前記半胴差３に取り付けられていることを特徴とする。
【００１３】
請求項４に記載の発明によれば、胴差付き壁パネル１の開口部２ａに予め建具枠１２が組み込まれているので、この建具枠１２が組み込まれた胴差付き壁パネル１を建築現場まで搬送し、この建築現場で躯体（壁パネル１６）に接合することによって、建築現場での建具枠１２の組み込み作業を省略できる。
また、建築現場で胴差付き壁パネル１を躯体（壁パネル１６）に接合した後、この胴差付き壁パネル１に組み込まれている建具枠１２に建具を嵌め込んで、内側から鍵をすることによって、建築中の建物の防犯になる。
【００１４】
請求項５に記載の発明は、請求項１〜４のいずれか一項に記載の胴差付き壁パネル１を、複数の床パネル１１・・・を接合することによって構成された床１０に設置してなる胴差付き壁パネルの設置構造において、
前記壁パネル２が前記床１０の端部上面に設置され、前記半胴差３が前記床１０を構成する床パネル１１，１１の接合部Ｓ１を跨ぐようにして前記床１０の端面に当接されるとともに、前記床１０の端面に固定された下半胴差１５の上端面に当接されていることを特徴とする。
【００１５】
請求項５に記載の発明によれば、前記半胴差３が前記床１０を構成する床パネル１１，１１の接合部Ｓ１を跨ぐようにして前記床１０の端面に当接されるとともに、前記床１０の端面に固定された下半胴差１５の上端面に当接されているので、床１０を構成する床パネル１１・・・を半胴差３と下半胴差１５によって外側から効果的に拘束でき、よって、充分な躯体強度を確保できる。
【発明の効果】
【００１６】
本発明によれば、壁パネルの下端部に取り付けられた胴差が、その高さが、前記壁パネルが設置される床の厚さの半分以下に設定された半胴差となっているので、胴差付き壁パネルの高さを、半土台付き壁パネルとほぼ等しい高さに抑えることができる。
また、半胴差の長さが、前記壁パネルの左右の幅以下で、かつ、前記壁パネルを床に設置した際に、前記壁パネルの下側にあって、前記床を構成する床パネルどうしの接合部を跨ぐような長さに設定されているので、床パネルどうしの接合部の位置と、半胴差と他の胴差との接合部の位置とが半胴差の長手方向（床パネルの並設方向）において一致しない。したがって、壁パネルの下側にあって、床を構成する床パネルを半胴差によって外側から効果的に拘束でき、よって、充分な躯体強度を確保できる。
【図面の簡単な説明】
【００１７】
【図１】本発明に係る胴差付き壁パネルの一例を示すもので、（ａ）は正面図、（ｂ）は側面図である。
【図２】同、建具枠を取り付けた胴差付き壁パネルの正面図である。
【図３】本発明に係る胴差付き壁パネルの半胴差を示す斜視図である。
【図４】本発明に係る胴差付き壁パネルを床に設置した状態を示すもので、（ａ）は正面図、（ｂ）は（ａ）におけるＡ−Ａ線断面図である。
【図５】同、図４（ａ）におけるＢ−Ｂ線断面図である。
【発明を実施するための形態】
【００１８】
以下図面を参照して本発明の実施の形態について説明する。
図１は、本発明に係る胴差付き壁パネル１の一例を示すもので（ａ）は正面図、（ｂ）は側面図である。この図に示すように、胴差付き壁パネル１は、下端に開口する開口部２ａが形成された大型の壁パネル２の下端部に、胴差３が前記開口部２ａの下端開口を閉じるようにして取り付けられてなるものである。
【００１９】
前記大型の壁パネル２は、左右一対の壁パネル４，４と、これら壁パネル４，４の上部側端部間に配置されて、該壁パネル４，４の上部側端部に接合された壁パネル５とを備えており、正面視において門型に形成されている。壁パネル４，４の対向する側端面には方立６，６が固定されている。方立６の上端面は壁パネル５の下端面に当接されており、下端面は壁パネル４の下端面と面一になっている。
前記壁パネル４，５は、框材を矩形枠状に組み立て、この矩形枠の内部に補強桟材を縦横に組み付け、さらに矩形枠の両面に合板等とからなる面材を取り付けてなるものである。
なお、壁パネル４，５の接合は、壁パネル４，５の側端面どうしを接着剤によって接着するとともに、一方の壁パネル４の面材から框材を通して他方の壁パネル５の框材に釘を斜め打ちするとともに、他方の壁パネル５の面材から框材を通して一方の壁パネル４の框材に釘を斜め打ちすることによって行われている。
【００２０】
前記胴差３は、左右に長尺な木質の角材によって形成されたものであり、その高さは、前記壁パネル２が設置される床１０の厚さの半分以下に設定された半胴差３となっている。また、半胴差３の厚さは壁パネル２（壁パネル４）の厚さの略半分程度となっている。
前記半胴差３は、図３に示すように、半胴差本体３ａと、この半胴差本体３ａの両端部上面に固定された調整材３ｂ，３ｂとで構成されている。また、調整材３ｂ，３ｂ間の長さは、前記開口部２ａの左右の幅（方立６，６間の距離）と等しくなっている。
そして、半胴差３は、図１に示すように、調整材３ｂ，３ｂ間に位置する半胴差本体３ａを壁パネル２の下端より下側でかつ開口部２ａの下側に配置するとともに、調整材３ｂ，３ｂの上面を、壁パネル４，４の下端面と方立６，６の下端面に接合することによって、壁パネル２の下端部に取り付けられている。
したがって、壁パネル２を床１０に設置した際に、半胴差本体３ａの上面は床１０の上面より低くなり、これによって、建具枠（サッシ枠）１２の下枠を床１０の床面とほぼ等しい高さか若干低く設置できるようになっている。
【００２１】
前記半胴差３の両端部前面には、図１および図３に示すように、それぞれ矩形板状の位置合せ板７が、その上部を半胴差３の調整材３ｂの上面から突出するようにして取り付けられている。また、位置合せ板７の側端面は半胴差３の端面と面一になっている。
位置合せ板７は、釘をその下部表面から半胴差本体３ａまたは調整材３ｂに打ち込んで仮留めすることによって、取り付けられており、接着剤等によっては接合されていない。
そして、この位置合せ板７の上部裏面に壁パネル４の下端部前面が当接されている。つまり、半胴差３を壁パネル２（壁パネル４）の下端面に接合する際に、位置合せ板７の上部裏面に壁パネル４の下端部前面を当接することによって、半胴差３の前面と壁パネル２下端部前面とが面一になるように位置合せを行うようになっている。
【００２２】
また、前記半胴差３の長さは、図４および図５に示すように、壁パネル２の左右の幅以下で、かつ、壁パネル２を床１０に設置した際に、壁パネル２の下側にあって、前記床１０を構成する床パネル１１，１１どうしの接合部Ｓ１を跨ぐような長さに設定されている。
つまり、壁パネル２の下側には、４枚の床パネル１１・・・が並設されており、互いに隣接する床パネル１１，１１の側端面どうしが接合されている。したがって、壁パネル２の下側に、３つの接合部Ｓ１が位置しており、この３つの接合部Ｓ１全てを跨ぐような長さに半胴差３の長さが設定されている。本実施の形態では、半胴差３の端部は前記開口部２ａより外側に突出し、かつ、壁パネル２の側端面より内側に位置している。
なお、前記床パネル１１は、框材を矩形枠状に組み立て、この矩形枠の内部に補強桟材を縦横に組み付け、さらに矩形枠の上面に合板等とからなる面材を取り付けてなるものである。
【００２３】
上記構成の胴差付き壁パネル１の開口部２ａには、図２に示すように、工場等において予め建具枠１２が組み込まれている。
前記開口部２ａは、壁パネル４，４に取り付けられた方立６，６、壁パネル５、半胴差３によって囲まれた開口であり、建具枠１２は開口部２ａに嵌め込める矩形枠状のサッシ枠である。
建具枠１２の左右の縦枠は方立６，６に取り付けられ、上枠は壁パネル５の下端部に取り付けられ、下枠は半胴差３の半胴差本体３ａに取り付けられている。
また、建具枠（サッシ枠）１２の下枠は、半胴差３の上面（調整材３ｂの上面）とほぼ等しい高さか若干低く配置されている。
また、胴差付き壁パネル１の開口部２ａに建具枠１２を組み込む際には、壁パネル２の表面に、開口部２ａを除いて、図示しない透湿防水シートを貼着するとともに、建具枠１２の周囲の防水施工も行う。
【００２４】
そして、上記のようにして建具枠１２が組み込まれた胴差付き壁パネル１は、工場から建築現場に搬送され、図４に示すように、床１０の端部上面に設置されている。
床１０は建物の２階の床を構成するものであり、上述したように、複数の床パネル１１を接合することによって構成されている。このような床１０は、１階の外壁１３の上端面に設置されている。なお、外壁１３は複数の壁パネルを接合して構成されたものである。
前記外壁１３の上端面の内側略半分に、床１０（床パネル１１）の端部が設置され、外側略半分に下半胴差１５が床１０（床パネル１１）の端面に固定されて設置されている。下半胴差１５は、左右に長尺な角材によって形成されたものであり、その高さは床１０の厚さの半分と等しくなっている。また、下半胴差１５の長さは、前記半胴差３の長さと等しくなっており、かつ、下半胴差１５の端面と半胴差３の端面とは面一になっている。
図４および図５に示すように、床１０の端部上面には、胴差付き壁パネル１の壁パネル２が設置されており、この壁パネル２の厚さ方向外側略半分は、床１０の端から突出している。そして、壁パネル２の下端面に接合された半胴差３が床１０を構成する床パネル１１の接合部Ｓ１を跨ぐようにして床１０の端面に当接されるとともに、床１０の端面の下半分に固定された下半胴差１５の上端面に当接（設置）されている。
この状態において、半胴差３の調整材３ｂ，３ｂ間に位置する半胴差本体３ａが壁パネル２の下端面より下側に位置しているので、開口部２ａに取り付けられた建具枠１２の下枠が、壁パネル２の下端面が設置される床１０の床面より下がり、これによって建具枠１２が掃出し窓の建具枠となる。
【００２５】
また、床１０の端部上面に設置された胴差付き壁パネル１の両側には、それぞれ躯体としての他の壁パネル１６が接合されている。この壁パネル１６の厚さ方向内側略半分は床１０の端部上面に設置されており、外側略半分は床１０の端から突出している。そしてこの突出している部分（壁パネル１６の外側略半分）が、１階の外壁１３の上端面の外側半分に設置された胴差１７の上面に設置されている。
胴差１７の高さは、前記半胴差３と下半胴差１５とを合せた高さと等しくなっている。また、この胴差１７の端部は、胴差付き壁パネル１の壁パネル４の下方に位置しており、前記半胴差３および下半胴差１５に当接している。そして、この胴差１７の端部上面に、壁パネル４の左右の幅の略半分が設置されている。
【００２６】
本実施の形態によれば、壁パネル２の下端部に取り付けられた胴差３が、その高さが、壁パネル２が設置される床１０の厚さの半分以下に設定された半胴差３となっているので、胴差付き壁パネル１の高さを、半土台付き壁パネルとほぼ等しい高さに抑えることができる。
また、半胴差３の長さが、壁パネル２の左右の幅以下で、かつ、壁パネル２を床１０に設置した際に、壁パネル２の下側にあって、前記床１０を構成する床パネル１１，１１どうしの接合部Ｓ１を跨ぐような長さに設定されているので、壁パネル２を、半胴差３が床パネル１１，１１の接合部Ｓ１を跨ぐようにして、床１０の端部上面に設置することによって、床パネル１１，１１どうしの接合部Ｓ１の位置と、半胴差３とこの半胴差３の端部に当接される他の胴差１７との接合部Ｓ２の位置とが半胴差３の長手方向（床パネル１１の並設方向）において一致しない。しかも、半胴差３が床１０の端面に当接されるとともに、床１０の端面に固定された下半胴差１５の上端面に当接されているので、床１０を構成する床パネル１１・・・を半胴差３と下半胴差１５によって外側から効果的に拘束でき、よって、充分な躯体強度を確保できる。
【００２７】
また、半胴差３の両端部前面に、位置合せ板７がその上部を半胴差３の上面から突出するようにしてに取り付けられており、位置合せ板７の上部裏面に、壁パネル２の下端部前面が当接されているので、壁パネル２の前面と半胴差３の前面とを面一にして、半胴差３を壁パネル２に容易に接合できる。
さらに、半胴差３は、左右に長尺な半胴差本体３ａと、この半胴差本体３ａの両端部上面にそれぞれ固定された調整材３ｂ，３ｂとを備えており、調整材３ｂ，３ｂの上面が壁パネル２の下端面に接合されており、調整材３ｂ，３ｂ間に位置する半胴差本体３ａが壁パネル２の下端面より下側に位置しているので、開口部２ａに取り付けるべき建具枠１２の下枠を壁パネル２の下端より下方で半胴差本体３ａに取り付けることができる。したがって、建具枠１２の下枠を壁パネル２の下端面が設置される床１０の床面より下げることができるので、建具枠１２を掃出し窓の建具枠することができる。
【００２８】
また、胴差付き壁パネル１の開口部２ａに予め建具枠１２が組み込まれているので、この建具枠１２が組み込まれた胴差付き壁パネル１を建築現場まで搬送し、この建築現場で躯体（壁パネル１６）に接合することによって、建築現場での建具枠１２の組み込み作業を省略できる。
また、建築現場で胴差付き壁パネル１を躯体（壁パネル１６）に接合した後、この胴差付き壁パネル１に組み込まれている建具枠１２に建具を嵌め込んで、内側から鍵をすることによって、建築中の建物の防犯になる。
【００２９】
なお、本実施の形態においては、胴差３を半胴差本体３ａと、この半胴差本体３ａの両端部上面にそれぞれ固定された調整材３ｂ，３ｂとによって構成したが、これに代えて、半胴差本体３ａと調整材３ｂを合せた断面を有する長尺な角材の中央部の上面を、調整材３ｂの厚さ分だけ切り欠いて形成してもよい。
また、このような切欠きがない半胴差を壁パネル２の下端部に取り付けてもよい。
【符号の説明】
【００３０】
１  胴差付き壁パネル
２  壁パネル
３  半胴差
３ａ  半胴差本体
３ｂ  調整材
７  位置合せ板
１０  床
１１  床パネル
１２  建具枠
１５  下半胴差
１７  胴差
【図１】
2010248816.tif 000003
【図２】
2010248816.tif 000004
【図３】
2010248816.tif 000005
【図４】
2010248816.tif 000006
【図５】
2010248816.tif 000007